(57)【要約】      （修正有）【課題】複数のユーザにより文書データの認証を行なうことができる画像処理装置文書認証システム及び画像処理プログラムを提供する。【解決手段】ＨＤＤに複数ページで構成された認証対象とする文書を示す文書データ及び認証を行なうユーザ毎の印影画像を示す印影画像データを予め記憶させ、ユーザ毎に文書データに対して認証したことを示す認証情報が入力された場合に、ＣＰＵにより、ＨＤＤに記憶された文書データにより示される文書の画像を、１枚の記録用紙Ｐに複数ページずつ、記録用紙Ｐに印刷して製本した場合に各ページがページ順に並ぶように対応させる面付を行ない、面付を行なった当該文書データにより示される文書の、製本した場合に見開きページとして並ぶ各ページに跨がるようにＨＤＤに記憶されたユーザの印影画像データにより示される印影画像を合成する画像処理を行なう。【選択図】図５
2009077062.tif 000002
【特許請求の範囲】
【請求項１】
複数ページで構成された認証対象とする文書を示す文書データ及び認証を行なうユーザ毎の印影画像を示す印影画像データを予め記憶した記憶手段と、
前記ユーザ毎に前記文書データに対して認証したことを示す認証情報を入力するための入力手段と、
前記入力手段により前記認証情報が入力された場合に、前記記憶手段に記憶された前記文書データにより示される文書の画像を、１枚の記録用紙に複数ページずつ、記録用紙に印刷して製本した場合に各ページがページ順に並ぶように対応させる面付を行ない、面付を行なった当該文書データにより示される文書の、製本した場合に見開きページとして並ぶ各ページに跨がるように前記記憶手段に記憶された当該ユーザの前記印影画像データにより示される印影画像を合成する画像処理を行なう画像処理手段と、
を備えた画像処理装置。
【請求項２】
前記画像処理手段は、前記文書データの、製本した場合に見開きページとして並ぶ各ページに跨がり、且つ当該見開きページ毎に合成位置を変えて前記印影画像を合成する画像処理を行なう
請求項１記載の画像処理装置。
【請求項３】
前記画像処理手段は、文書データにより示される文書の各ページをページ毎に複数並べてそれぞれ１枚の記録用紙に対応させて配置する面付を行ない、面付を行なって記録用紙に対応して複数並んで配置されたページの境界に跨がるように前記印影画像を合成する画像処理を行なう
請求項１記載の画像処理装置。
【請求項４】
前記画像処理手段は、他の印影画像が合成済みである場合、当該他の印影画像と重ならないように、前記印影画像を合成する画像処理を行なう
請求項１〜請求項３記載の何れか１項記載の画像処理装置。
【請求項５】
前記画像処理手段は、第１の認証情報と第２の認証情報とを関連して記憶し、前記入力手段により前記第１の認証情報と第２の認証情報とが入力された場合に、前記記憶手段に記憶された前記文書データにより示される文書の画像を、製本した場合に見開きページとして並ぶ各ページに跨がるように前記記憶手段に記憶された前記第１の認証情報に対応するユーザと前記第２の認証情報に対応するユーザの前記印影画像データにより示される印影画像を合成する画像処理を行なう
請求項１〜請求項４記載の何れか１項記載の画像処理装置。
【請求項６】
前記請求項１〜請求項４の何れか１項記載の画像処理装置と、
ユーザを識別する情報を受け付ける受付手段、前記受付手段により前記識別情報を受け付けた場合に、受け付けられた当該識別情報により示されるユーザによる前記認証情報を前記画像処理装置へ送信する送信手段、及び前記画像処理手段により画像処理が行なわれた前記文書データの各ページを、１枚の記録用紙に前記複数ページずつ、記録用紙に印刷する印刷手段を備えた印刷装置と、
を有する文書認証システム。
【請求項７】
ユーザにより入力手段に対して複数ページで構成された認証対象とする文書を示す文書データに対して認証したことを示す認証情報が入力された場合に、前記記憶手段に記憶された当該文書データにより示される文書の画像を、１枚の記録用紙に複数ページずつ、記録用紙に印刷して製本した場合に各ページがページ順に並ぶように対応させる面付を行なう面付ステップと、
前記面付ステップによる面付を行なった当該文書データにより示される文書の、製本した場合に見開きページとして並ぶ各ページに跨がるように前記記憶手段に記憶された当該ユーザの前記印影画像データにより示される印影画像を合成する合成ステップと、
をコンピュータに実行させる画像処理プログラム。
【発明の詳細な説明】
【技術分野】
【０００１】
この発明は、画像処理装置文書認証システム及び画像処理プログラムに関する。
【背景技術】
【０００２】
従来、契印書等の文書においては、ページの入れ替えなどの改竄が行なわれか否かを判別しやすくするため、ページの見開き毎に割印を押印する作業が行なわれる。
【０００３】
しかし、ページ数が多い文書になるほど押印作業の負担が大きいという課題があった。
【０００４】
そこで、特許文献１には、与えられた印影を、印刷時にランダムな位置で分割し、印刷する２枚の記録用紙上に割印となるように印刷する技術が提案されている。
【０００５】
また、特許文献２には、印影にランダムな回転処理を施して割印として印刷する技術が提案されている。
【０００６】
また、特許文献３には、印影にマスク処理を施して、複数の相補的な印影画像を生成し、各相補的な印影画像を記録用紙にそれぞれ印刷し、記録用紙を重ね合わせてすかし見ることにより文書の関連性を確認する技術が提案されている。
【０００７】
さらに、特許文献４には、印章を分割して正本の文書に印刷するとともに、印刷した割印章（正副）と文書の関連づけを記録し、後に、正本の印章を基づいて記録装置から副本の割印章を取り出し、副本を画面に表示することで正当性の検証を行なう技術が提案されている。
【特許文献１】特開平０７−３０７４２号公報
【特許文献２】特開２０００−３６９０５号公報
【特許文献３】特開２００１−０７１５７９号公報
【特許文献４】特許３７３５６２６号
【発明の開示】
【発明が解決しようとする課題】
【０００８】
本発明は、複数のユーザにより文書データの認証を行なうことができる画像処理装置文書認証システム及び画像処理プログラムを提供することを目的とする。
【課題を解決するための手段】
【０００９】
請求項１に記載の発明は、複数ページで構成された認証対象とする文書を示す文書データ及び認証を行なうユーザ毎の印影画像を示す印影画像データを予め記憶した記憶手段と、前記ユーザ毎に前記文書データに対して認証したことを示す認証情報を入力するための入力手段と、前記入力手段により前記認証情報が入力された場合に、前記記憶手段に記憶された前記文書データにより示される文書の画像を、１枚の記録用紙に複数ページずつ、記録用紙に印刷して製本した場合に各ページがページ順に並ぶように対応させる面付を行ない、面付を行なった当該文書データにより示される文書の、製本した場合に見開きページとして並ぶ各ページに跨がるように前記記憶手段に記憶された当該ユーザの前記印影画像データにより示される印影画像を合成する画像処理を行なう画像処理手段と、を備えている。
【００１０】
また、請求項２に記載の発明は、請求項１に記載の発明において、前記画像処理手段が、前記文書データの、製本した場合に見開きページとして並ぶ各ページに跨がり、且つ当該見開きページ毎に合成位置を変えて前記印影画像を合成する画像処理を行なうものである。
【００１１】
また、請求項３に記載の発明は、請求項１に記載の発明において、前記画像処理手段が、文書データにより示される文書の各ページをページ毎に複数並べてそれぞれ１枚の記録用紙に対応させて配置する面付を行ない、面付を行なって記録用紙に対応して複数並んで配置されたページの境界に跨がるように前記印影画像を合成する画像処理を行なうものである。
【００１２】
また、請求項４に記載の発明は、請求項１〜請求項３記載に項記載の発明において、前記画像処理手段が、他の印影画像が合成済みである場合、当該他の印影画像と重ならないように、前記印影画像を合成する画像処理を行なうものである。
【００１３】
さらに、請求項５に記載の発明は、請求項１〜請求項４記載に項記載の発明において、前記画像処理手段が、第１の認証情報と第２の認証情報とを関連して記憶し、前記入力手段により前記第１の認証情報と第２の認証情報とが入力された場合に、前記記憶手段に記憶された前記文書データにより示される文書の画像を、製本した場合に見開きページとして並ぶ各ページに跨がるように前記記憶手段に記憶された前記第１の認証情報に対応するユーザと前記第２の認証情報に対応するユーザの前記印影画像データにより示される印影画像を合成する画像処理を行なうものである。
【００１４】
一方、請求項６に記載の発明は、前記請求項１〜請求項４の何れか１項記載の画像処理装置と、ユーザを識別する情報を受け付ける受付手段、前記受付手段により前記識別情報を受け付けた場合に、受け付けられた当該識別情報により示されるユーザによる前記認証情報を前記画像処理装置へ送信する送信手段、及び前記画像処理手段により画像処理が行なわれた前記文書データの各ページを、１枚の記録用紙に前記複数ページずつ、記録用紙に印刷する印刷手段を備えた印刷装置と、を有するものである。
【００１５】
一方、請求項７に記載の発明は、ユーザにより入力手段に対して複数ページで構成された認証対象とする文書を示す文書データに対して認証したことを示す認証情報が入力された場合に、前記記憶手段に記憶された当該文書データにより示される文書の画像を、１枚の記録用紙に複数ページずつ、記録用紙に印刷して製本した場合に各ページがページ順に並ぶように対応させる面付を行なう面付ステップと、前記面付ステップによる面付を行なった当該文書データにより示される文書の、製本した場合に見開きページとして並ぶ各ページに跨がるように前記記憶手段に記憶された当該ユーザの前記印影画像データにより示される印影画像を合成する合成ステップと、をコンピュータに実行させるものである。
【発明の効果】
【００１６】
請求項１、請求項６及び請求項７に記載の発明によれば、複数のユーザにより文書データの認証を行なうことができる、という優れた効果を有する。
【００１７】
また、請求項２に記載の発明によれば、文書の各ページ毎の改竄の有無を容易に判別できる、という優れた効果を有する。
【００１８】
また、請求項３に記載の発明によれば、複数並んで配置された文書の各ページ毎の改竄の有無を容易に判別できる、という優れた効果を有する。
【００１９】
また、請求項４に記載の発明によれば、認証を複数のユーザで行なうことができる、という優れた効果を有する。
【００２０】
また、請求項５に記載の発明によれば、関連のある複数のユーザの認証が行われて初めて、それぞれのユーザが印影の付加された文書データを取得できる、という優れた効果を有する。
【発明を実施するための最良の形態】
【００２１】
以下、図面を参照して、本発明の実施の形態について詳細に説明する。なお、以下では、本発明をサーバ・コンピュータ（以下「サーバ」という。）とＩＣカードリーダが設けられた複数の複合機とがネットワークにより接続され、ユーザがＩＣカードを用いて各複合機から文書の認証を行なう文書認証システムの場合について説明する。
【００２２】
図１には、本実施の形態に係る文書認証システム５の全体的な概略構成が示されている。
【００２３】
同図に示されるように、文書認証システム５は、複数の複合機１０と、サーバ１４と、を備えており、複合機１０とサーバ１４とがネットワーク１６により接続されている。
【００２４】
図２には、本実施の形態に係る複合機１０及びサーバ１４の構成が示されている。
【００２５】
同図に示されるように、複合機１０は、所定の読込位置に置かれた記録用紙から画像を読み込み、当該画像を示す画像データを取得するスキャナ２２と、電子写真方式にて記録用紙上への画像の印刷を行う印刷エンジン部２４と、コピー操作などの各種の操作指示が入力される操作ボタンが設けられた操作パネル２６と、ＩＣ（Integrated Circuit）カードに記憶された情報を読み取るためのＩＣカードリーダ２８と、を備えている。
【００２６】
なお、本実施の形態に係る印刷エンジン部２４は、記録用紙の表裏を反転させる両面印刷ユニット（不図示）を備え、記録用紙の一方の面に画像の印刷を行なった後に両面印刷ユニットにより記録用紙の表裏を反転させて当該記録用紙の他方の面に画像の印刷を行なうことにより、記録用紙の表裏の両面に印刷を行なうことが可能とされている。
【００２７】
また、複合機１０は、装置全体の動作を司るＣＰＵ（中央処理装置）３０と、制御プログラムを含む各種プログラム等が予め記憶されたＲＯＭ３２と、各種データを一時的に記憶するＲＡＭ３４と、各種データを記憶して保持するＨＤＤ（ハード・ディスク・ドライブ）３６と、スキャナ２２による光学的な画像の読み取りを制御するスキャナドライバ３８と、印刷エンジン部２４の作動を制御する印刷エンジン制御部４０と、操作パネル２６に設けられた操作ボタンに対する操作状態を検出する操作入力検出部４２と、ＩＣカードリーダ２８によるＩＣカードの読み取りを制御するカードリーダ制御部４４と、ネットワーク１６に接続され、ネットワーク１６との間で通信データの送受信を行うネットワークＩ／Ｆ（インタフェース）部４６と、を備えている。
【００２８】
ＣＰＵ３０、ＲＯＭ３２、ＲＡＭ３４、ＨＤＤ３６、スキャナドライバ３８、印刷エンジン制御部４０、操作入力検出部４２、カードリーダ制御部４４、及びネットワークＩ／Ｆ部４６は、システムバスＢＵＳ１を介して相互に接続されている。従って、ＣＰＵ３０は、ＲＯＭ３２、ＲＡＭ３４、ＨＤＤ３６へのアクセスを行うことができると共に、スキャナドライバ３８を介したスキャナ２２の作動の制御、印刷エンジン制御部４０を介した印刷エンジン部２４の作動の制御、カードリーダ制御部４４を介したＩＣカードリーダ２８によるＩＣカードの読み取りの制御、及びネットワークＩ／Ｆ部４６を介したネットワーク１６に接続された他の端末装置とのデータの送受信の制御、を各々行うことができる。また、ＣＰＵ３０は、操作入力検出部４２を介して操作パネル２６に設けられた操作ボタンに対するユーザの操作状態を把握することができる。
【００２９】
一方、サーバ１４は、操作メニューやメッセージ等を表示するディスプレイ７０と、ユーザからの各種の操作指示が入力されるキーボード７２と、を備えている。
【００３０】
また、サーバ１４は、装置全体の動作を司るＣＰＵ８０と、制御プログラムや後述する認証処理プログラムを含む各種プログラム等が予め記憶されたＲＯＭ８２と、各種データを一時的に記憶するＲＡＭ８４と、各種データを記憶して保持するＨＤＤ８６と、ディスプレイ７０への各種情報の表示を制御するディスプレイドライバ８８と、キーボード７２に対する操作状態を検出する操作入力検出部９０と、ネットワーク１６に接続され、ネットワーク１６との間で通信データの送受信を行うネットワークＩ／Ｆ部９２と、を備えている。
【００３１】
ＣＰＵ８０、ＲＯＭ８２、ＲＡＭ８４、ＨＤＤ８６、ディスプレイドライバ８８、操作入力検出部９０、及びネットワークＩ／Ｆ部９２は、システムバスＢＵＳ２を介して相互に接続されている。従って、ＣＰＵ８０は、ＲＯＭ８２、ＲＡＭ８４、ＨＤＤ８６へのアクセスを行うことができると共に、ディスプレイドライバ８８を介したディスプレイ７０への各種情報の表示の制御、及びネットワークＩ／Ｆ部９２を介したネットワーク１６に接続された他の端末装置とのデータの送受信の制御、を行うことができる。また、ＣＰＵ８０は、操作入力検出部９０を介してキーボード７２に対するユーザの操作状態を把握することができる。
【００３２】
次に、本実施の形態に係る文書認証システム５の作用を説明する。
【００３３】
図３には、本実施の形態に係る文書認証システム５による文書データの承認の流れが模式的に示されている。
【００３４】
本実施の形態に係るサーバ１４は、認証を行なうユーザ毎の印影画像を示す印影画像データを予めＨＤＤ８６に記憶している。
【００３５】
ユーザは、例えば、契約書等の複数ページで構成された認証対象とする文書を示す文書データをネットワーク１６に接続されたＰＣ（パーソナル・コンピュータ）等のクライアント・コンピュータからサーバ１４へ送信する（図３、「１」参照。）。
【００３６】
本実施の形態に係るサーバ１４は、ネットワーク１６を介して文書データを受信すると、文書データを識別するため新たなジョブＩＤを生成し、生成したジョブＩＤに関連付けて当該受信した文書データをＨＤＤ８６に記憶し、関連付けたジョブＩＤをクライアント・コンピュータに通知する（図３、「２」参照。）。この通知されたジョブＩＤは、メールなどによって認証を行なう各ユーザに通知される。
【００３７】
認証を行なう各ユーザは、例えば、クライアント・コンピュータにおいて認証対象とする文書データにより示される文書を確認したり、あるいは別に印刷された認証対象とする文書を確認し、認証を行なう場合、当該文書に関連付けられたジョブＩＤを複合機１０の操作パネル２６に入力すると共に、ユーザを識別するための識別情報（例えば、ユーザのＩＤ番号）が記憶されたＩＣカード９８をＩＣカードリーダ２８にかざす。なお、図３は、ユーザＡ、及びユーザＢがＩＣカード９８によりそれぞれ文書の認証を行なう場合を示している（図３、「３」、「４」参照。）。
【００３８】
複合機１０は、ＩＣカードリーダ２８によりＩＣカード９８から識別情報を読み取り、読み取った識別情報を操作パネル２６に入力されたジョブＩＤと共に、文書を認証したことを示す認証情報としてサーバ１４へ送信する。
【００３９】
サーバ１４は、ネットワーク１６を介して認証情報を受信すると、ＣＰＵ８０により認証処理プログラムを実行して、文書データにより示される文書に認証したユーザの印影画像を割印として合成する画像処理を行なう。
【００４０】
図４には、ＣＰＵ８０により実行される認証処理プログラムの処理の流れを示すフローチャートが示されている。なお、当該プログラムはＲＯＭ８２の所定の領域に予め記憶されている。
【００４１】
同図のステップ１００では、認証情報として受信したジョブＩＤに対応する文書データ、及び認証情報として受信した識別情報に対応するユーザの印影画像を示す印影画像データをＨＤＤ８６からそれぞれ読み出す。
【００４２】
次のステップ１０２では、上記ステップ１００において読み出した文書データにより示される文書の画像を、１枚の記録用紙Ｐに複数ページずつ、記録用紙Ｐに印刷して製本した場合に各ページがページ順に並ぶように対応させる面付を行なう。
【００４３】
すなわち、例えば、文書データに示される８ページの文書が記録用紙Ｐに各々印刷されて中綴じ製本されるものである場合、図５（Ａ）に示すように、２枚の記録用紙Ｐの表面、裏面にそれぞれ各ページを対応させる面付を行なう。なお、図５の各記録用紙Ｐに示した「１」〜「８」の数字は対応させるページ数を示している。
【００４４】
そして、次のステップ１０４では、図５（Ａ）に示すように、上記ステップ１００において読み出した印影画像データにより示される印影画像を、上記ステップ１０２において面付を行なった文書データにより示される文書の、製本した場合に見開きページとして並ぶ各ページに跨がるように合成する画像処理を行なう。なお、本実施の形態では、見開きページ毎に合成位置を変えて印影画像を合成する。例えば、文書データに示される文書が図５（Ａ）に示したように８ページの文書である場合、丸付きの「契約」として示すように、印影画像が合成される。なお、この合成を行なう際に、既に他のユーザにより認証が行なわれて文書データにより示される文書に他の印影画像が合成済みである場合、当該他の印影画像と重ならないように印影画像を合成することが好ましい。この場合、文書データにより示される文書に他の印影画像の合成を行う毎に、合成した印影の大きさ及び各ページに印影を合成した位置（例えば、合成した中心位置）を合成済印影情報として文書データに対応付けてＨＤＤ８６に記憶させ、新たな印影画像を合成する際に、当該合成済印影情報に基づいて合成位置を決めればよい。
【００４５】
次のステップ１０６では、上記ステップ１０４において画像処理を行なった文書データをＨＤＤ８６に上書きして記憶させて、本認証処理プログラムを終了する。
【００４６】
ユーザは、認証した文書データにより示される文書の印刷を行なう場合、複合機１０の操作パネル２６に当該文書に関連付けられたジョブＩＤを入力すると共に、印刷開始の指示の入力を行なう。
【００４７】
複合機１０は、印刷開始の指示の入力されると、操作パネル２６に入力されたジョブＩＤと共に、文書データの送信要求をサーバ１４へ送信する（図３、「５」参照。）。
【００４８】
サーバ１４は、ネットワーク１６を介して文書データの送信要求を受信すると、送信要求と共に受信したジョブＩＤに対応する文書データをＨＤＤ８６から読み出し、読み出した文書データを送信要求元の複合機１０へ送信する。
【００４９】
送信要求元の複合機１０は、ネットワーク１６を介して文書データを受信すると、印刷エンジン部２４を制御して、受信した文書データの各ページを、１枚の記録用紙Ｐに複数ページずつ、記録用紙Ｐに印刷する。
【００５０】
以上のように本実施の形態によれば、ユーザ毎の印影画像を示す印影画像データを予め記憶しておき、ユーザにより認証が行なわれた場合に当該ユーザの印影画像を文書データに割印として合成することにより、複数のユーザにより文書データの認証を行なうことができる。この際に、例えばユーザＡとユーザＢとの間で契約を行うための契約書を作成しユーザＡとユーザＢのそれぞれの印影画像を割印の形式で文書に付加して印字させる場合、サーバ１４は、ユーザＡとユーザＢの間の関連を記憶し、この記憶した関連ユーザであるユーザＡとユーザＢの両者の認証が完了したことを条件に、ユーザＡとユーザＢの印影画像を文書データに割印として合成した文書データを、送信要求元であるユーザＡおよびユーザＢが送信要求を行った複合機１０へ送信するように構成してもよい。このように構成することにより、契約書などユーザＡとユーザＢで同じ文書を所有する必要がアル場合に、お互い同一の文書を入手することが可能となる。
【００５１】
また、本実施の形態によれば、例えば、図５（Ａ）に示したように印影画像が合成された文書を中綴じ製本した場合、出来上がり状態(見開き)は、図５（Ｂ）に示すように見開きページとして並ぶ各ページに跨がるように割印が存在するようになるため、この割印の一致を確認することにより各ページ毎の改竄の有無を容易に判別できる。
【００５２】
なお、本実施の形態では、文書データにより示される文書の各ページを、記録用紙Ｐに印刷して製本した場合に各ページがページ順に並ぶように対応させる面付を行なう場合について説明したが、本発明はこれに限定されるものではなく、例えば、図６（Ａ）に示すように、文書データにより示される文書の各ページをページ毎に複数並べてそれぞれ１枚の記録用紙Ｐに印刷し（図６ではページ毎に２つ並べてそれぞれ１枚の記録用紙Ｐに印刷）、図６（Ｂ）に示すように、各記録用紙Ｐを２つに分けて、正本と副本にする場合、図６（Ａ）に示すように、上述した認証処理プログラムのステップ１０２において、文書データにより示される文書の各ページをページ毎に複数並べてそれぞれ１枚の記録用紙Ｐに対応させて配置する面付を行ない、ステップ１０４において、図６（Ａ）に示すように、各記録用紙Ｐに対応して複数並んで配置されたページの境界に跨がるように印影画像を合成してもよい。なお、図６の各記録用紙Ｐに示した「１」〜「８」の数字は対応させるページ数を示している。この場合、例えば、図７に示すように、ユーザＡが、印刷された各記録用紙Ｐを裁断して正本と副本に分けて一方を他のユーザに送付する。この正本と副本には、各ページ毎に跨がるように割印が存在するため、正本と副本のページ毎の割印の一致を確認することにより改竄の有無を容易に判別できる。
【００５３】
また、本実施の形態では、サーバ１４にユーザ毎の印影画像を示す印影画像データを予め記憶させる場合について説明したが、本発明はこれに限定されるものではなく、例えば、サーバ１４以外の他のサーバに印影画像データを予め記憶させ、サーバ１４が認証を行なうユーザの印影画像データをネットワーク１６を介して他のサーバから受信して印影画像の合成を行なってもよい。
【００５４】
また、本実施の形態では、サーバ１４において印影画像を合成する画像処理を行なう場合について説明したが、本発明はこれに限定されるものではなく、例えば、サーバ１４が、印影画像の合成を行なわずに、文書データと印影画像データを複合機１０へ送信し、複合機１０において印刷を行なう際に文書データに示される文書に印影画像データにより示される印影画像を合成する画像処理を行なってもよい。
【００５５】
また、本実施の形態では、ＩＣカードにより文書データの認証を行なう場合について説明したが、本発明はこれに限定されるものではなく、例えば、ユーザが、クライアントコンピュータからネットワーク１６を介して文書データの認証を行なったり、あるいはキーボード７２により文書データの認証を行なうものとしてもよい。
【００５６】
その他、本実施の形態で説明した複合機１０及びサーバ１４の構成（図１、図２参照。）は、一例であり、本発明の主旨を逸脱しない範囲内において適宜変更可能であることは言うまでもない。
【００５７】
また、本実施の形態で説明した認証処理プログラムの処理の流れ（図４参照。）も一例であり、本発明の主旨を逸脱しない範囲内において適宜変更可能であることは言うまでもない。
【図面の簡単な説明】
【００５８】
【図１】実施の形態に係る文書認証システムの全体的な概略構成を示すブロック図である。
【図２】実施の形態に係る複合機及びサーバの構成を示すブロック図である。
【図３】実施の形態に係る文書認証システムによる文書データの承認の流れを示す模式図である。
【図４】実施の形態に係る認証処理プログラムの処理の流れを示すフローチャートである。
【図５】実施の形態に係る文書を中綴じ製本する場合の各ページの位置関係を示す模式図である。
【００５９】
【図６】実施の形態に係る文書の各ページをページ毎に２つ並べて正本、複本を作成する場合の各ページの位置関係を示す模式図である。
【図７】実施の形態に係る正本、複本を作成する文書認証システムによる文書データの承認の流れを示す模式図である。
【符号の説明】
【００６０】
５    文書認証システム
１０  複合機（印刷装置）
１４  サーバ（画像処理装置）
２４  印刷エンジン部（印刷手段）
２８  カードリーダ（受付手段）
４６  ネットワークＩ／Ｆ部（送信手段）
７２  キーボード（入力手段）
８０  ＣＰＵ（画像処理手段）
８６  ＨＤＤ（記憶手段）
９２  ネットワークＩ／Ｆ部（入力手段）
【図１】
2009077062.tif 000003
【図２】
2009077062.tif 000004
【図３】
2009077062.tif 000005
【図４】
2009077062.tif 000006
【図５】
2009077062.tif 000007
【図６】
2009077062.tif 000008
【図７】
2009077062.tif 000009